(57)【特許請求の範囲】
【請求項１】
表示領域を持つ文字板、
前記表示領域において前記文字板よりも前方へ突出して形成されたリング部材、
前記リング部材の内側の前記文字板上に円弧状に配置された文字板目盛、
前記文字板目盛を指示する指針、
前記文字板の後方に配設された照明光源、
前記文字板目盛の外周で前記文字板目盛に連続して前記リング部材の切欠き部として放射状に複数形成された切欠き目盛、及び
前記文字板のうち前記切欠き目盛の内部に露出する露出部に位置し前記照明光源からの光を前記切欠き目盛の前記内部に透過させる光透過部を備え、
前記光透過部は、前記リング部材の表面の色よりも暗色で光透過性を有する暗色透過部から成ることを特徴とする車両用計器。
【請求項２】
前記文字板目盛は、前記文字板の後方からの前記照明光源の光が透過するように前記文字板の表示領域に半透過部として形成され、前記照明光源からの光を前記切欠き目盛の内部に透過させる前記光透過部は、前記文字板目盛の前記半透過部よりも暗色で形成されていることを特徴とする請求項１に記載の車両用計器。
【請求項３】
前記暗色透過部は、前記露出部から、前記文字板目盛の後方まで延在して設けられていることを特徴とする請求項１または２に記載の車両用計器。
【請求項４】
前記暗色透過部は前記文字板の後面に設けられていることを特徴とする請求項３に記載の車両用計器。
【請求項５】
前記照明光源からの光を前記切欠き目盛の前記内部に透過させる前記光透過部は、前記リング部材の色と同色系の色で形成されていることを特徴とする請求項１ないし４のいずれか一項に記載の車両用計器。
【請求項６】
前記リング部材は、前記文字板から前記リング部材の外周側に向けて傾斜部を有して立ち上がっており、前記切欠き目盛は、前記リング部材の前記傾斜部に形成されていることを特徴とする請求項１ないし５のいずれか一項に記載の車両用計器。
【請求項７】
表示領域を持つ文字板、
前記表示領域において前記文字板よりも前方へ突出して形成されたリング部材、
前記リング部材の内側の前記文字板上に円弧状に配置された文字板目盛、
前記文字板目盛を指示する指針、
前記文字板の後方に配設された照明光源、
前記文字板目盛の外周で前記文字板目盛に連続して前記リング部材の切欠き部として放射状に複数形成された切欠き目盛、及び
前記文字板のうち前記切欠き目盛の内部に露出する露出部に位置し前記照明光源からの光を前記切欠き目盛の前記内部に透過させる光透過部を備え、
更に、前記文字板の前方に配置され前記文字板の周囲を囲む見返し部材を備え、前記リング部材は前記見返し部材と連続して一体に形成されていることを特徴とする車両用計器。
【発明の詳細な説明】
【技術分野】
【０００１】
本発明は、文字板上を指針が移動する車両用計器に関するものであり、特に、文字板前面側にリング部材を設定し、このリング部材を部分的に切欠いて形成した切欠き目盛と、文字板面に設定した文字板目盛とにより、昼と夜とで目盛長さを変化させる車両用計器に関するものである。
【背景技術】
【０００２】
従来、特許文献１において、昼と夜とで目盛長さを変化させる車両用計器を提供するために、以下の構造を採用している。図６は、従来の特許文献１に記載の車両用計器の正面図である。図６において、計器装置の文字板４は、前方平面部４ｃと、通常不透明である遮光部４６、及び遮光部４６の外周部５０の周囲に配設されたＣ字型の半透明部４８を有する。また、文字板４の背後側において、文字板４と重ねて配設されるカバー部材３４を有する。半透明部４８は、文字板４の外周部に配置されている。
【０００３】
カバー部材３４は、複数の目盛線を形成している。少なくともその一つの目盛線は、半透明部の背後側に延びる第１の目盛線部分４５と、文字板３０の外周部から外側に延びる第２の目盛線部分４７を有する。第１の目盛線部分４５は、カバー部材３４の背後に設けられた照明光源により照明されるとき半透明部４８を通して視認できるようになり、一方、上記照明光源により照明されていないときは視認できない。
【０００４】
このように、照明光源により照明されるときとされないときとで、半透明部４８を通して視認できたり視認できなかったりする第１の目盛線部分４５を設定することにより、昼と夜とで目盛長さを変化させる車両用計器を得ている。
【先行技術文献】
【特許文献】
【０００５】
【特許文献１】特開２００９−２１０５７２号公報
【発明の概要】
【発明が解決しようとする課題】
【０００６】
上記特許文献１の技術によると、目盛長さを変えてみせるために専用の部品（Ｃ字型の半透明部４８）を追加する必要があり、見栄えを変え商品力を向上させることが、複雑になるとともにコストアップを伴うという欠点がある。近年、コストは低く抑えるが、商品力は向上させたいという要請があり、この構成では、時代の要請に対応することができない。
【０００７】
本発明は、このような従来の技術に存在する問題点に着目して成されたものであり、その目的は、車両用計器としての最低限の構成を維持して製品コストをアップさせることなく、昼と夜とで目盛長さを変えてみせる車両用計器を提供することにある。
【０００８】
従来技術として列挙された特許文献の記載内容は、この明細書に記載された技術的要素の説明として、参照によって導入ないし援用することができる。
【課題を解決するための手段】
【０００９】
本発明は上記目的を達成するために、下記の技術的手段を採用する。すなわち、請求項１に記載の発明では、表示領域を持つ文字板、表示領域において文字板よりも前方へ突出して形成されたリング部材、リング部材の内側の文字板上に円弧状に配置された文字板目盛、文字板目盛を指示する指針、文字板の後方に配設された照明光源、文字板目盛の外周で文字板目盛に連続してリング部材の切欠き部として放射状に複数形成された切欠き目盛、及び文字板のうち切欠き目盛の内部に露出する露出部に位置し照明光源からの光を切欠き目盛の内部に透過させる光透過部を備え、光透過部は、リング部材の表面の色よりも暗色で光透過性を有する暗色透過部から成ることを特徴としている。
【００１０】
この発明によれば、リング部材の内側の文字板上に円弧状に配置された文字板目盛、文字板目盛の外周で文字板目盛に連続してリング部材の切欠き部として放射状に複数形成された切欠き目盛、及び文字板のうち切欠き目盛の内部に露出する露出部に位置し照明光源からの光を切欠き目盛の内部に透過させる光透過部を備えるから、文字板目盛に連続してリング部材の切欠き部として放射状に、昼間は目立たない切欠き目盛が複数形成できる。また、夜に光透過部を透過して照明光源からの光が切欠き目盛の内部を照射して、切欠き目盛を目立たせることができる。そして、切欠き目盛を目立たせたときに、照明光源で透過照明されて発光する文字板目盛の延長部分として切欠き目盛が発光する。従って、文字板目盛と切欠き目盛とが一体となって昼間よりも長い目盛を構成する。このように、文字板目盛から切欠き目盛が延長されて目盛長さが長くなるため、昼と夜とで目盛長さを変えることができる車両用計器を提供することができる。また、文字板、リング部材、文字板目盛、指針、及び照明光源は、いずれも計器に必要なもので特別な部品を必要とせずコストを抑えることができる。また、光透過部は、リング部材の表面の色よりも暗色で光透過性を有する暗色透過部から成るから、照明光源の照明光が透過しない昼間は、文字板目盛が、目盛として認識される。一方、切欠き目盛は、昼間の外光による反射で、暗い色で見えることから、目盛としての存在感を余り感じさせない。よって、昼間は、切欠き目盛が目立つことが無く、文字板目盛のみが目立って視認される。
【００１１】
請求項２に記載の発明では、文字板目盛は、文字板の後方からの照明光源の光が透過するように文字板の表示領域に半透過部として形成され、照明光源からの光を切欠き目盛の内部に透過させる光透過部は、文字板目盛の半透過部よりも暗色で形成されていることを特徴としている。
【００１２】
この発明によれば、照明光源からの光を切欠き目盛の内部に透過させる光透過部は、文字板目盛の半透過部よりも暗色で形成されているから、照明光源の照明光が透過しない昼間は、切欠き目盛が、昼間の外光による反射で、暗い色で見えることから、目盛としての存在感を余り感じさせない。よって、昼間は、切欠き目盛が目立つことが無く、文字板目盛のみが目立って視認され、照明光源の照明光が透過する夜間は、切欠き目盛も目立つことで、目盛の長さが長くなったように視認させることができる。
【００１３】
請求項３に記載の発明では、暗色透過部が、露出部から、文字板目盛りの後方まで延在して設けられていることを特徴としている。
【００１４】
この発明によれば、リング部材の表面の色よりも暗色で光透過性を有する暗色透過部が、露出部から、文字板目盛の後方まで延在して設けられているから、照明光源の照明光が透過しない昼間は、文字板目盛が、目盛として認識される。一方、切欠き目盛は、昼間の外光による反射で、暗い色で見えることから、目盛としての存在感を余り感じさせない。よって、昼間は、切欠き目盛が目立つことが無く、文字板目盛のみが目立って視認され、照明光源の照明光が透過する夜間は、切欠き目盛が一層目立つことで、目盛の長さが長くなったように視認させることができる。
【００１５】
請求項４に記載の発明では、暗色透過部は文字板の後面に設けられていることを特徴としている。
【００１６】
この発明によれば、暗色透過部は文字板の後面に設けられているから、文字板目盛が、その直下にある暗色透過部の影響を受けて鮮やかさが減少し昼間の見栄えが暗くなることを防止することができる。これにより、暗色透過部の影響を受けることなく、文字板目盛を昼間において良好に視認させることができる。
【００１７】
請求項５に記載の発明では、照明光源からの光を切欠き目盛の内部に透過させる光透過部は、リング部材の色と同色系の色で形成されていることを特徴としている。
【００１８】
この発明によれば、光透過部は、リング部材の色と同色系の色で形成されているから、照明光源の光が透過しない昼間は切欠き目盛が目立つことが無く、文字板目盛のみが目立って視認され、照明光源の光が透過する夜間は切欠き目盛が目立つことで、目盛の長さが長くなったように視認させることができる。
【００１９】
請求項６に記載の発明では、リング部材は、文字板からリング部材の外周側に向けて傾斜部を有して立ち上がっており、切欠き目盛は、リング部材の傾斜部に形成されていることを特徴としている。
【００２０】
この発明によれば、リング部材は、文字板からリング部材の外周側に向けて傾斜部を有して立ち上がっており、切欠き目盛は、リング部材の傾斜部に形成されているから、切欠き目盛が文字板上の文字板目盛から連続して立ち上がるように視認させることができ、夜間において文字板目盛と切欠き目盛とが連続一体化されて単一の長い目盛として視認させ易い。また、傾斜部に形成された切欠き目盛の影によってリング部材の構造を複雑化して特異な立体感を際立たせることができる。
【００２１】
請求項７に記載の発明では、表示領域を持つ文字板、表示領域において文字板よりも前方へ突出して形成されたリング部材、リング部材の内側の文字板上に円弧状に配置された文字板目盛、文字板目盛を指示する指針、文字板の後方に配設された照明光源、文字板目盛の外周で文字板目盛に連続してリング部材の切欠き部として放射状に複数形成された切欠き目盛、及び文字板のうち切欠き目盛の内部に露出する露出部に位置し照明光源からの光を切欠き目盛の内部に透過させる光透過部を備え、更に、文字板の前方に配置され文字板の周囲を囲む見返し部材を備えリング部材は見返し部材と連続して一体に成型されていることを特徴としている。
【００２２】
この発明によれば、リング部材の内側の文字板上に円弧状に配置された文字板目盛、文字板目盛の外周で文字板目盛に連続してリング部材の切欠き部として放射状に複数形成された切欠き目盛、及び文字板のうち切欠き目盛の内部に露出する露出部に位置し照明光源からの光を切欠き目盛の内部に透過させる光透過部を備えるから、文字板目盛に連続してリング部材の切欠き部として放射状に、昼間は目立たない切欠き目盛が複数形成できる。また、夜に光透過部を透過して照明光源からの光が切欠き目盛の内部を照射して、切欠き目盛を目立たせることができる。そして、切欠き目盛を目立たせたときに、照明光源で透過照明されて発光する文字板目盛の延長部分として切欠き目盛が発光する。従って、文字板目盛と切欠き目盛とが一体となって昼間よりも長い目盛を構成する。このように、文字板目盛から切欠き目盛が延長されて目盛長さが長くなるため、昼と夜とで目盛長さを変えることができる車両用計器を提供することができる。また、文字板、リング部材、文字板目盛、指針、及び照明光源は、いずれも計器に必要なもので特別な部品を必要とせずコストを抑えることができる。かつ、リング部材は見返し部材と連続して一体に成型されているから、部品点数が減少しコストを削減することができる。
【図面の簡単な説明】
【００２３】
【図１】本発明の第１実施形態をなす車両用計器の昼間時の正面図である。
【図２】図１の矢印Ｆ２−Ｆ２線に沿う文字板並びに見返し部材リングの一部断面図である。
【図３】図１の車両用計器の夜間時の正面図である。
【図４】本発明の第２実施形態における図１の矢印Ｆ２−Ｆ２線相当部に沿う文字板並びに見返し部材リングの一部断面図である。
【図５】本発明の第３実施形態をなす車両用計器の昼間時の正面図である。
【図６】従来の特許文献１に記載の車両用計器の正面図である。
【発明を実施するための形態】
【００２４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２５】
各実施形態で具体的に組合せが可能であることを明示している部分同士の組合せばかりではなく、特に組合せに支障が生じなければ、明示していなくても実施形態同士を部分的に組合せることも可能である。
【００２６】
（第１実施形態）
以下、本発明の第１実施形態について図１ないし図３を用いて詳細に説明する。図１は、本発明の第１実施形態をなす車両用計器の昼間時の正面図である。図２は図１の矢印Ｆ２−Ｆ２線に沿う文字板４並びに見返し部材リング１の一部断面図である。図３は、図１の車両用計器の夜間時の正面図である。
【００２７】
図１において、文字板４の表面側に、円弧状の見返し部材リング１を設けている。見返し部材リング１は、本発明に言うリング部材を形成する。見返し部材リング１の内側の文字板４上には、速度を表示する指標となる文字板目盛３が半透過部を形成するように印刷されている。
【００２８】
この文字板目盛３は、文字板４の後方側（図１、図３の紙面裏側）からの照明光源の光が透過するように文字板４の表示領域に半透過印刷され、半透過部として形成されている。また、１２０等の数字表記からなる指標部４ａも半透過印刷されている。
【００２９】
見返し部材リング１は、後述する見返し部材４０と共に同一樹脂（ポリプロピレン）で連続して一体成型されており、光に対しては不透過性である。また、見返し部材リング１は文字板４から突出し樹脂成型された立体物として形成されている。
【００３０】
文字板４表面の文字板目盛３外周で文字板４の直上の見返し部材リング１の、文字板目盛３に対応する位置に、見返し部材リング１の切欠き部からなる切欠き目盛２を設置している。
【００３１】
切欠き目盛２は、見返し部材リング１の表面側から裏面側にかけて完全に貫通して切り込まれて形成されている。この切欠き目盛２の底に位置する文字板４の部分（露出部）には、図２のように、無色透明部４ｈの背後（図２の下方）に暗色で光透過性を有する暗色透過部４ｅ（スモーク印刷部）が設定されている。
【００３２】
これにより、露出部に位置する光透過部は、文字板目盛３の半透過部よりも暗色に構成される。この暗色透過部４ｅは、上記露出部から文字板目盛３すなわち白色透過部４ｄの後方まで延在している。
４ｆは黒色不透過部と成る印刷部、４ｇは光の透過性を有する文字板素材（文字板基材）である。
【００３３】
なお、無色透明部４ｈは、無色透明のＵＶ印刷された層からなり、他の黒色不透過部４ｆや白色透過部４ｄの上に印刷され、印刷面を保護（傷付き防止）する役目を担っている。ＵＶ印刷とは、紫外線を照射することにより硬化乾燥するインキを使用して行う印刷を言う。そして、文字板４は、これら無色透明部４ｈと黒色不透過部４ｆと文字板素材４ｇと暗色透過部４ｅと白色透過部４ｄとで構成されている。
【００３４】
また、本発明に言う切欠き目盛２の各々の底部の文字板４部分（露出部）に位置し照明光源６１からの光６２を切欠き目盛２の内部に透過させる光透過部は、この実施形態においては、無色透明部４ｈと文字板素材４ｇと暗色透過部４ｅとから形成された光透過性の層構造からなる。
【００３５】
また、文字板目盛３は、文字板４の後方側からの照明光源６１の光６２が透過するように文字板４の表示領域に半透過部として形成されているが、この本発明に言う半透過部は、無色透明部４ｈと白色透過部４ｄと文字板素材４ｇと暗色透過部４ｅとから形成された半透過性の層構造からなる。
【００３６】
図２において、見返し部材リング１は、図１の平面方向から見た場合に円弧状（Ｃ字状）の形状を持ち、図２の断面図に示すように、円弧の中心方向に下るスロープ形状部（傾斜部）１ａを持つ。また、スロープ形状部１ａの途中に、切欠き目盛２が凹部として形成されている。
【００３７】
文字板４の後方側には、光の反射壁部と成る仮想線にて示すケース６０が配設され、このケース６０の他に、照明光源６１、図示しない指針駆動用ステッパモ−タ及び回路素子が搭載された回路基板が配置されている。ケース６０は、回路基板や文字板４等といった計器を構成する部品を組立・固定する役割を担っている。
【００３８】
上記構成において、昼間（照明光源６１がオフ）時は、図１のように、光透過部から成る文字板目盛３の白色の印刷部分が、全体として円弧状の目盛として認識される。また、切欠き目盛２は、昼間は外光による反射で、暗い色で見えることから目盛としての存在感を余り感じさせない。
【００３９】
つまり、昼間は、切欠き目盛２が黒っぽい凹部として視認され、目盛であるのかどうか分かり難いが、見返し部材リング１が立体的に見えることに寄与している。なお、図１の５は指針、６は液晶表示装置からなる燃料計である。
【００４０】
図１の車両用計器の夜間時における正面図である図３において、文字板４の後方の照明光源（図２の６１）が点灯して、この照明光源６１の光６２で見返し部材リング１の切欠き目盛２が透過照明される。光６２が透過しない見返し部材リング１の切欠き目盛２の周辺部は、シルエット（後方から照明光源６１の橙色もしくはアンバー色の光６２が当たって浮かび上がった物の輪郭）として見える。
【００４１】
このため、夜間になると上記照明光源６１で透過照明されて発光する文字板目盛３の延長部分として切欠き目盛２が発光する。従って、文字板目盛３と切欠き目盛２とが一体となって昼間よりも長い目盛２、３を構成する。
【００４２】
この長い目盛２、３は、文字板目盛３相互間を結ぶ全体としてアーチ状の橋絡部３ａから放射状に突出している。このように、夜間は透過照明で発光するため、昼夜で目盛長さが変化したように見える。
【００４３】
なお、見返し部材リング１は、図１の文字板４の外周を取り巻く不透光性の樹脂（ポリプロピレン）より成形された見返し部材４０（見返し板、周壁部材、ウインドプレート等とも呼ばれる）に一体に射出成形されている。
【００４４】
また、文字板目盛３の橋絡部３ａは、文字板目盛３相互間を橋絡して文字板４上に帯状に延在しており、橋絡部３ａの中間部には、不透光性の四角形の切欠きポインタ部４ｂが形成されている。なお、橋絡部３ａ及び切欠きポインタ部４ｂは、省略することも可能である。
【００４５】
また、文字板４は、見返し部材リング１を境として、表示領域と成るリング内文字板部４１とリング外文字板部４２とに分かれている。リング外文字板部４２は暗色（スモーク色）の印刷が成され、後方の照明光源（ＬＥＤ）点灯時に浮かび上がる警告表示４３が設けられている。また、リング内文字板部４１を四角形に切り取った部分に燃料計等の液晶表示部４４が形成されている。
【００４６】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図４は、図１の矢印Ｆ２−Ｆ２線相当部に沿う第２実施形態における文字板４並びに見返し部材リング１の一部断面図である。
【００４７】
図２に示した第１実施形態の構成では、文字板目盛を成す白色透過部４ｄが、その直下にある暗色透過部４ｅの影響を受けて白色の鮮やかさが減少し、昼間の見栄えが暗くなることがある。
【００４８】
これを考慮して図４においては、暗色透過部４ｅを文字板４の最後方側（後面）に設定している。これにより、暗色透過部４ｅの影響を受けることなく、文字板目盛３を成す白色透過部４ｄにおいて鮮やかな白色を昼間において視認させることができる。
【００４９】
（第３実施形態）
次に、本発明の第３実施形態について説明する。上述した実施形態と異なる特徴部分を説明する。図５は、本発明の第３実施形態をなす車両用計器の昼間時の正面図である。第１の実施形態では、白色部と暗色部を同じ色（例えば橙色）で発光させているが、この第３実施形態の図５のように照明光源（図２の６１相当）を白色（Ｗ）にして、図２の暗色透過部４ｅ相当部に例えば青色（ＢＬ）を追加することにより、昼夜間の見栄えをさらに変化させている。
【００５０】
（その他の実施形態）
また、本発明は上述した実施形態にのみ限定されるものではなく、次のように変形または拡張することができる。例えば、上述の第１実施形態では、図１の文字板４の外周を取り巻く、光に対して不透過性の樹脂より成形された見返し部材４０に一体に見返し部材リング１を射出成形しているが、見返し部材４０が透過性のある樹脂で形成されている場合は、見返し部材リング１を印刷により部分的に不透過性にしてもよい。
【００５１】
上述の第１実施形態では、切欠き目盛２の底に位置する文字板４の部分（露出部）に半透過部となる暗色透過部４ｅを印刷して、昼間は見え難いように暗色形の印刷（スモーク印刷等）で構成しているが、暗くて視認し難い色であればよく、濃い緑でも良い。
【００５２】
この場合、見返し部材リング１の色調と同じか、または近い色調の暗色の光透過部としても良い。つまり、切欠き目盛２の内部に光を透過させる光透過部は、見返し部材リング１の色と同色系の色で構成しても良い。また、印刷以外の転写、塗布、吹きつけ等により光透過部を形成することができる。
【００５３】
上述の第１実施形態では、図３において、文字板目盛３と、切欠き目盛２とが、夜間において、同色に発光するようにしたが、文字板目盛３と、切欠き目盛２とを異なる色で発光させても良い。
【００５４】
この場合は、切欠き目盛２の底に位置する文字板４の部分（露出部）には、任意の色に着色された光透過部を印刷等により形成すればよい。なお、図５の第３実施形態においては、この考え方を取入れて、白（Ｗ）と青（ＢＬ）で着色した光透過部を形成したが、その他の色の組合せを用いても良い。
【００５５】
上述の第１実施形態では、車速計において、図１のように円弧状の文字板目盛３全体を同色にしたが、一部の領域（例えば高速域）だけレッドゾーンにしても良い。また、車速計以外の計器に本発明を適用できることは勿論である。また、図１においては、液晶表示部４４が、リング内文字板部４１上に形成されたが、液晶表示部４４をリング外文字板部４２上に設けても良い。
【００５６】
上述の第１実施形態では、図３のように、０ｋｍ／ｈ、２０ｋｍ／ｈ、４０ｋｍ／ｈ・・・１６０ｋｍ／ｈ、１８０ｋｍ／ｈ等のように２０ｋｍ／ｈ毎の目盛部分を切欠き目盛２としているが、他の目盛部分を切欠き目盛２にしても良い。
【符号の説明】
【００５７】
１  見返し部材リング（リング部材）
１ａ  スロープ形状部（傾斜部）
２  切欠き目盛
２、３  長い目盛
３  文字板目盛
３ａ  文字板目盛の橋絡部
４  文字板
４ａ  指標部
４ｂ  切欠きポインタ部
４ｄ  白色透過部
４ｅ  暗色透過部
４ｆ  黒色不透過部
４ｇ  文字板基材
４ｈ  無色透明部
５  指針
６  液晶表示装置
４０  見返し部材
４１  リング内文字板部
４２  リング外文字板部
４３  警告表示
４４  液晶表示部
【図１】
0005454425.tif 000002
【図２】
0005454425.tif 000003
【図３】
0005454425.tif 000004
【図４】
0005454425.tif 000005
【図５】
0005454425.tif 000006
【図６】
0005454425.tif 000007